(57)【特許請求の範囲】
【請求項１】
分散型電気クロス装置であって、バックボッドと、電気クロスユニットが集積されている4つのシングルボードを備え、前記シングルボードがバックボッドの固定スロットに差し込まれ、
前記シングルボードには、ライン側サービスアクセスユニット、クライアント側サービスアクセスユニット及びバックボッドアクセスユニットをさらに備え、各シングルボードのバックボッドアクセスユニットがバックボッドにおける固定ケーブルによって互いに接続され、電気クロスユニットがライン側サービス、クライアント側サービス及びバックボッド側サービスのクロス接続を実現し、
前記バックボッドアクセスユニットは、三つのバックボッド電気信号インタラクションモジュール、及びそれに対応する三つのバックボッド電気信号多重化逆多重化モジュールを含み、各バックボッド電気信号インタラクションモジュールがいずれも相応のバックボッド電気信号多重化逆多重化モジュールによって、当該バックボッドアクセスユニットが位置するシングルボードの電気クロスユニットと接続し、ここで、
前記バックボッド電気信号インタラクションモジュールは、当該バックボッドアクセスユニットが位置するシングルボード及び当該シングルボードと接続するシングルボードの間に電気信号インタラクションを行うことに用いられ、
前記バックボッド電気信号多重化逆多重化モジュールは、バックボッド電気信号を複数チャネルのサブ波長電気信号に分解し、及び複数チャネルのサブ波長電気信号を1チャネルのバックボッド電気信号に集めることを特徴とする分散型電気クロス装置。
【請求項２】
前記ライン側サービスアクセスユニットは集約光電変換モジュールと集約電気信号多重化逆多重化モジュールを備え、
前記集約光電変換モジュールは、ライン側で入力された集約光信号を集約電気信号に変換することに用いられ、
前記集約電気信号多重化逆多重化モジュールは、集約光電変換モジュールが出力した集約電気信号を複数チャネルのサブ波長電気信号に分解し、及び複数チャネルのサブ波長電気信号を1チャネルの集約電気信号に集めることに用いられ、
前記集約光電変換モジュールは、前記集約電気信号多重化逆多重化モジュールによって、それが位置するシングルボードの上の電気クロスユニットと接続することを特徴とする請求項1に記載の分散型電気クロス装置。
【請求項３】
前記クライアント側サービスアクセスユニットはクライアント側で入力した分岐光信号を分岐電気信号に変換するための少なくとも1つの分岐光電変換モジュールを備え、
少なくとも一つの前記分岐光電変換モジュールがそれが位置するシングルボードの上の電気クロスユニットと接続することを特徴とする請求項1又は2に記載の分散型電気クロス装置。
【請求項４】
前記各シングルボードのバックボッドアクセスユニットがバックボッドにおける固定ケーブルによって各シングルボードがバックボッドアクセスユニットによってバックボッドにおける他のすべてのシングルボードに直接に接続されるように互いに接続されることを特徴とする請求項1又は2に記載の分散型電気クロス装置。
【請求項５】
分散型電気クロス装置がSNCカスケード保護を実現するシステムであって、請求項1−4のいずれか1項に記載の分散型電気クロス装置と保護スイッチングコントローラーを備え、前記分散型電気クロス装置に含まれた四つのシングルボードは機能とサービスアクセス情況が完全に対称する2対のシングルボードに設定され、クライアント側サービスのアップロードアンロードをサポートする同時に、前記2対のシングルボードがそれぞれ4つの方向ライン側サービスサブネットワークにさらに接続され、
前記分散型電気クロス装置におけるシングルボードは、それに接続されるシングルボード設備の作動状態、及びシングルボード自体のアクセスサービスの作動状態を監視測定し、且つシングルボード設備及び/又はアクセスサービスに故障が発生する場合、保護スイッチングコントローラーに故障警報信号を報告し、及び電気クロスユニットのサービス電気クロス接続配置の変更を実行することに用いられ、
前記保護スイッチングコントローラーは、シングルボードで報告された故障警報信号に基づいて、関連シングルボードに、電気クロスユニットのサービス電気クロス接続配置を変更し、故障の発生したシングルボードと機能及びサービスアクセス情況が完全に対称するシングルボードによって代わって作動することを知らせることに用いられることを特徴とする分散型電気クロス装置がSNCカスケード保護を実現するシステム。
【請求項６】
前記故障警報信号は、シングルボード設備故障警報信号、波長オーダーのサービス警報信号又はサブ波長オーダーのサービス警報信号であることを特徴とする請求項5に記載の分散型電気クロス装置がSNCカスケード保護を実現するシステム。
【請求項７】
前記保護スイッチングコントローラーは、シングルボードに故障が発生し、且つ故障シングルボードと電気信号インタラクションするシングルボードが保護スイッチングコントローラーに故障シングルボードの故障警報信号を報告した後、分散型電気クロス装置における関連シングルボードに、電気クロスユニットのサービス電気クロス接続配置を変更し、同様なサービスを送信するシングルボードを改めて選択することを知らせ、
及び、サブネットワーク、即ち波長オーダーのサービスに故障が発生し、且つ故障サブネットワークに接続されるシングルボードの集約光電変換モジュールが波長オーダーのサービス警報信号を報告した後、分散型電気クロス装置における関連シングルボードに、電気クロスユニットのサービス電気クロス接続配置を変更し、該波長オーダーのサービスを送信するシングルボードを改めて選択し、即ち、該波長オーダーのサービスを伝送するサブネットワークを取り替えることを知らせ、
及び、シングルボードのベアラするサブ波長オーダーのサービスに故障が発生し、且つシングルボード内における集約電気信号多重化逆多重化モジュール及び/又は分岐光電変換モジュールがサブ波長オーダーのサービス警報信号を報告した後、分散型電気クロス装置における関連シングルボードに、電気クロスユニットのサービス電気クロス接続配置を変更し、該サブ波長オーダーのサービスを送信するシングルボードを改めて選択することを知らせることにさらに用いられることを特徴とする請求項6に記載の分散型電気クロス装置がSNCカスケード保護を実現するシステム。
【請求項８】
分散型電気クロス装置がSNCカスケード保護を実現する方法であって、
請求項1−4のいずれか1項に記載の分散型電気クロス装置の四つシングルボードを機能とサービスアクセス情況が完全に対称する2対のシングルボードに設定され、クライアント側サービスのアップロードアンロードをサポートする同時に、2対のシングルボードがそれぞれ4つの方向ライン側サービスサブネットワークにさらに接続されることと、
各シングルボードがそれに接続される他のシングルボード設備の作動状態、及び自体のアクセスサービスの作動状態を監視測定することと、
シングルボード設備及び/又はアクセスサービスに故障が発生する場合、シングルボードが保護スイッチングコントローラーに故障警報信号を報告することと、 
保護スイッチングコントローラーがシングルボードで報告された故障警報信号に基づいて、関連シングルボードに電気クロスユニットのサービス電気クロス接続配置を変更することを知らせることと、
関連シングルボードが電気クロスユニットのサービス電気クロス接続配置の変更を実行することと、を備えることを特徴とする分散型電気クロス装置がSNCカスケード保護を実現する方法。
【請求項９】
前記故障警報信号は、ライン側波長オーダーのサービス警報信号、ライン側サブ波長オーダーのサービス警報信号又はシングルボード設備故障警報信号であることを特徴とする請求項8に記載の分散型電気クロス装置がSNCカスケード保護を実現する方法。
【請求項１０】
前記保護スイッチングコントローラーがシングルボードで報告された故障警報信号に基づいて、関連シングルボードに電気クロスユニットのサービス電気クロス接続配置を変更することを知らせるのは、
シングルボードに故障が発生し、且つ故障シングルボードと電気信号インタラクションする他のシングルボードが保護スイッチングコントローラーに故障シングルボードの故障警報信号を報告した後、保護スイッチングコントローラーが分散型電気クロス装置における関連シングルボードに、電気クロスユニットのサービス電気クロス接続配置を変更し、同様なサービスを送信するシングルボードを改めて選択することを知らせ、
及び、サブネットワーク、即ち波長オーダーのサービスに故障が発生し、且つ故障サブネットワークに接続されるシングルボードの集約光電変換モジュールが波長オーダーのサービス警報信号を報告した後、保護スイッチングコントローラーが分散型電気クロス装置における関連シングルボードに、電気クロスユニットのサービス電気クロス接続配置を変更し、該波長オーダーのサービスを送信するシングルボードを改めて選択し、即ち、該波長オーダーのサービスを伝送するサブネットワークを取り替えることを知らせ、
及び、シングルボードのベアラするサブ波長オーダーのサービスに故障が発生し、且つシングルボード内における集約電気信号多重化逆多重化モジュール及び/又は分岐光電変換モジュールがサブ波長オーダーのサービス警報信号を報告した後、保護スイッチングコントローラーが分散型電気クロス装置における関連シングルボードに、電気クロスユニットのサービス電気クロス接続配置を変更し、該サブ波長オーダーのサービスを送信するシングルボードを改めて選択することを知らせるのであることを特徴とする請求項9に記載の分散型電気クロス装置がSNCカスケード保護を実現する方法。
【発明の詳細な説明】
【技術分野】
【０００１】
本発明は光伝送ネットワークの保護技術分野に関し、特に分散型電気クロス装置並びにそのSNCカスケード保護の実現システム及び方法に関する。
【背景技術】
【０００２】
電気通信網がパケット化とブロードバンド化へ発展するにつれて、インターネットプロトコル（Internet Protocol、All-IP）はサービスネットワークの未来の進化傾向となっている。予測によると、未来の5年内、帯域幅は年毎に50％以上の速度で増えるそうである。現在、基幹方面においてもメトロポリタン・エリア方面においても、波長分割多重（Wavelength Division Multiplexing、IP over WDM）の2層ネットワーク構築モードはだんだん元の同期デジタルハイアラーキー（Synchronous Digital Hierarchy、IP over SDH）over WDMの3層モードに取って代わっており、光学層に直接にIPのフラットアーキテクチャをベアラするのが赴きになる。IP over WDMネットワーク構築アーキテクチャは光学層WDM設備に対して新たな需要を提出し、元でSDHネットワークによって完成したネットワーク構築、サービススケジューリング及びエンドツーエンド回路監視制御管理機能がだんだんWDM方面によって主として担当される。
【０００３】
光伝送ネットワークがIPベアラネットワークのベアラ平面として、それが臨む変革の根本駆動力はIPベアラネットワークの需要からのである。現在、IPベアラネットワークのベアラするサービス粒度がますます大きくなり、大粒度サービス、例えば、10GE（Gigabyte Ethernet）サービスが絶え間なく現れるにつれて、WDM設備が大粒度サービスの柔軟スケジューリング機能を有することを要求する。要求された全体的なネットワーク構築アイデアは領域別にスケジューリングされることができ、電気クロス機能を持った設備を導入して領域間の集めとスケジューリングを担当し、電気クロスシステムの核心クロス能力が強く、スケジューリングが柔軟で、1GE〜10GE粒度の柔軟スケジューリングを実現することができる。
【０００４】
IP化のチャレンジに面して、メトロポリタン・エリア光ネットワーク設備が柔軟なサービススケジューリング能力を備えることを要求する。現在、サービスのスケジューリングクロスは主に再構成可能型光分岐挿入多重装置（Reconfigurable Optical Add-drop Multiplexer、ROADM）に基づく光クロスと光伝送ネットワーク（Optical Transport Network、OTN）に基づく電気クロスによって実現される。電気クロス解決方案に対して、ネットワークノードは集中型電気クロスシステム又は分散型電気クロスシステムによって実現できる。集中型電気クロスシステムは専門のクライアント側シングルボードとライン側シングルボードを採用し、クロスシングルボードによってサービスのスケジューリングを行い、ライン側シングルボードで集約サービスの伝送を実現し、クライアント側シングルボードで分岐サービスのアップロードアンロードを実現し、集中型電気クロスシステムシングルボードは分業が明確で、システム機能が比較的に完全である。集中型クロスユニットは一般的にサブラックを単位とし、資源配分がいずれもサブラックの最大クロス能力によって設計されるものであるため、アクセスされたサービス容量が設計容量に符合する場合、性能価格比が比較的に高いが、スケジューリングする必要のあるサービスが極めて少ない場合、資源の浪費が現れることもある。従って、基幹ネットワークとコアネットワークは通常、集中型電気クロスシステムを採用してサービススケジューリングを行い、ネットワークの安定性を保証する。
【０００５】
分散型電気クロスシステムの特徴は独立なクロスユニットがなく、クロス機能が分散型電気クロス組における各枚のシングルボード内部の電気クロスユニットと各シングルボードとの間の固定接続によって実現される。ネットワークノードのバックボッドの固定接続複雑度の制限のため、分散型電気クロス組は一般的に4枚のシングルボードを1組とし、この数を超えると、回路接続複雑度の急激増加を引き起こす。分散型電気クロスは集中型電気クロスシステムに比べ、コストが大幅に低下するため、メトロポリタン・エリアネットワークのエッジノードなどの、処理能力があまり大きくない場合に、通常、分散型電気クロスシステムを採用する。
【０００６】
従来の分散型電気クロスシステムはただ通常、集中型クロスシステムの簡素化バージョンであり、従来の集中型クロスシステムのクライアント側シングルボードとライン側シングルボードを基として改善するだけであり、クロスユニットをシングルボードの中に集積し、クロスボードによって集におけるに実現しない。分散型クロスの特徴によってシングルボードを改善しなく、各枚のシングルボードがクライアント側或いはライン側のサービスしか完成しないため、ライン側サービスを保護しようとすると、クライアント側サービスに対するアップロードアンロードを実現できなく、且つサブ波長オーダーのサービスに対する保護を実現できなく、分散型クロスのスケジューリングと保護機能との制約を引き起こす。
【０００７】
従来のITU-T G808.1標準において、サブネットワーク接続（Sub-Network Connection、SNC）カスケード保護及び設備保護付きSNCカスケード保護をそれぞれ定義し、主に光クロスシステムの保護スイッチングに基づくものであり、電気クロス接続によって実現されてもよい。
【０００８】
図1はサブネットワークサービススケジューリングと保護サブレイヤー（Sublayer、SNC/S）カスケードシステムの模式図であり、図1の示すように、2つのネットワーク層痕跡端点（Network layer trail endpoint）Eが接続ノード（Connection point）Cによって保護スイッチング機能（Protection switching function）ノードPに接続され、4つのサブネットワークがネットワークノードにおける2つの保護スイッチング機能ノードPによって単一ポイント接続を行い、1つの作動サブネットワークのサービスに故障が発生する場合、それと並行する保護サブネットワークのサービスで替わることによってネットワークの他のところに影響を与えないことを確保できるが、いずれの保護スイッチングノードに故障が発生する場合、ネットワーク全体は必ず麻痺状態になる。
従来のネットワークノードは光クロスシステムを直接に採用すると、クライアント側サービスとライン側サービスに対して柔軟なスケジューリングと保護を行うことができるが、光スイッチ、光電変換器及び光クロスデバイスのコストが極めて高いので、メトロポリタン・エリアネットワークのエッジノード等の処理能力があまり大きくない場合に適用しなく、且つ光クロスシステムがサブ波長オーダーのサービスに対するSNCカスケードスケジューリングと保護を実現できない。
【発明の概要】
【発明が解決しようとする課題】
【０００９】
本発明が解決しようとする技術問題は、分散型電気クロス装置及びそのSNCカスケード保護の実現装置及び方法を提供し、同一シングルボードでライン側とクライアント側のサービス等の多種のサービスのアクセス及び柔軟スケジューリングを実現できると共に、シングルボード設備とSNCカスケードアクセスサービスを保護スイッチングできる。
【課題を解決するための手段】
【００１０】
本発明が採用する技術案は、
分散型電気クロス装置であって、該装置はバックボッドと、電気クロスユニットが集積されている少なくとも4つのシングルボードとを備え、前記シングルボードがバックボッドの固定スロットに差し込まれ、
前記シングルボードには、ライン側サービスアクセスユニット、クライアント側サービスアクセスユニット及びバックボッドアクセスユニットをさらに備え、各シングルボードのバックボッドアクセスユニットがバックボッドにおける固定ケーブルによって互いに接続され、電気クロスユニットがライン側サービス、クライアント側サービス及びバックボッド側サービスのクロス接続を実現する。
前記ライン側サービスアクセスユニットは集約光電変換モジュールと集約電気信号多重化逆多重化モジュールを備え、
前記集約光電変換モジュールは、ライン側で入力された集約光信号を集約電気信号に変換することに用いられ、
前記集約電気信号多重化逆多重化モジュールは、集約光電変換モジュールが出力された集約電気信号を複数チャネルのサブ波長電気信号に分解し、及び複数チャネルのサブ波長電気信号を1チャネルの集約電気信号に集めることに用いられる。
【００１１】
前記クライアント側サービスアクセスユニットはクライアント側で入力した分岐光信号を分岐電気信号に変換するための少なくとも1つの分岐光電変換モジュールを備える。
【００１２】
前記バックボッドアクセスユニットはバックボッド電気信号インタラクションモジュールとバックボッド電気信号多重化逆多重化モジュールを備え、
前記バックボッド電気信号インタラクションモジュールは、本シングルボードが他のシングルボードと電気信号インタラクションを行うことに用いられ、
前記バックボッド電気信号多重化逆多重化モジュールは、バックボッド電気信号を複数チャネルのサブ波長電気信号に分解し、及び複数チャネルのサブ波長電気信号を1チャネルのバックボッド電気信号に集めることに用いられる。
【００１３】
前記各シングルボードのバックボッドアクセスユニットがバックボッドにおける固定ケーブルによって各シングルボードがバックボッドアクセスユニットによってバックボッドにおける他のすべてのシングルボードに直接に接続されるように互いに接続される。
【００１４】
分散型電気クロス装置がSNCカスケード保護を実現するシステムであって、分散型電気クロス装置と保護スイッチングコントローラーを備え、前記分散型電気クロス装置において、機能とサービスアクセス情況が完全に対称する2対のシングルボードを備え、クライアント側サービスのアップロードアンロードをサポートする同時に、前記2対のシングルボードがそれぞれ4つの方向ライン側サービスサブネットワークにさらに接続され、
前記分散型電気クロス装置におけるシングルボードは、それに接続される他のシングルボード設備の作動状態、及びシングルボード自体のアクセスサービスの作動状態を監視測定し、且つシングルボード設備及び/又はアクセスサービスに故障が発生する場合、保護スイッチングコントローラーに故障警報信号を報告し、及び電気クロスユニットのサービス電気クロス接続配置の変更を実行することに用いられ、
前記保護スイッチングコントローラーは、シングルボードで報告された故障警報信号に基づいて、関連シングルボードに、電気クロスユニットのサービス電気クロス接続配置を変更し、故障の発生したシングルボードと機能及びサービスアクセス情況が完全に対称するシングルボードによって代わって作動することを知らせることに用いられる。
前記故障警報信号は、シングルボード設備故障警報信号、波長オーダーのサービス警報信号又はサブ波長オーダーのサービス警報信号である。
【００１５】
前記保護スイッチングコントローラーは、シングルボードに故障が発生し、且つ故障シングルボードと電気信号インタラクションする他のシングルボードが保護スイッチングコントローラーに故障シングルボードの故障警報信号を報告した後、分散型電気クロス装置における関連シングルボードに、電気クロスユニットのサービス電気クロス接続配置を変更し、同様なサービスを送信するシングルボードを改めて選択することを知らせ、
及び、サブネットワーク、即ち波長オーダーのサービスに故障が発生し、且つ故障サブネットワークに接続されるシングルボードの集約光電変換モジュールが波長オーダーのサービス警報信号を報告した後、分散型電気クロス装置における関連シングルボードに、電気クロスユニットのサービス電気クロス接続配置を変更し、該波長オーダーのサービスを送信するシングルボードを改めて選択し、即ち、該波長オーダーのサービスを伝送するサブネットワークを取り替えることを知らせ、
及び、シングルボードのベアラするサブ波長オーダーのサービスに故障が発生し、且つシングルボード内における集約電気信号多重化逆多重化モジュール及び/又は分岐光電変換モジュールがサブ波長オーダーのサービス警報信号を報告した後、分散型電気クロス装置における関連シングルボードに、電気クロスユニットのサービス電気クロス接続配置を変更し、該サブ波長オーダーのサービスを送信するシングルボードを改めて選択することを知らせることにさらに用いられる。
【００１６】
分散型電気クロス装置がSNCカスケード保護を実現する方法であって、
分散型電気クロス装置において、機能とサービスアクセス情況が完全に対称する2対のシングルボードを設け、クライアント側サービスのアップロードアンロードをサポートする同時に、2対のシングルボードがそれぞれ4つの方向ライン側サービスサブネットワークにさらに接続されることと、
各シングルボードがそれに接続される他のシングルボード設備の作動状態、及び自体のアクセスサービスの作動状態を監視測定することと、
シングルボード設備及び/又はアクセスサービスに故障が発生する場合、シングルボードが保護スイッチングコントローラーに故障警報信号を報告することと、 
保護スイッチングコントローラーがシングルボードで報告された故障警報信号に基づいて、関連シングルボードに電気クロスユニットのサービス電気クロス接続配置を変更することを知らせることと、
関連シングルボードが電気クロスユニットのサービス電気クロス接続配置の変更を実行することを備える。
【００１７】
前記故障警報信号は、ライン側波長オーダーのサービス警報信号、ライン側サブ波長オーダーのサービス警報信号又はシングルボード設備故障警報信号である。
前記保護スイッチングコントローラーがシングルボードで報告された故障警報信号に基づいて、関連シングルボードに電気クロスユニットのサービス電気クロス接続配置を変更することを知らせるのは、
シングルボードに故障が発生し、且つ故障シングルボードと電気信号インタラクションする他のシングルボードが保護スイッチングコントローラーに故障シングルボードの故障警報信号を報告した後、保護スイッチングコントローラーが分散型電気クロス装置における関連シングルボードに、電気クロスユニットのサービス電気クロス接続配置を変更し、同様なサービスを送信するシングルボードを改めて選択することを知らせ、
及び、サブネットワーク、即ち波長オーダーのサービスに故障が発生し、且つ故障サブネットワークに接続されるシングルボードの集約光電変換モジュールが波長オーダーのサービス警報信号を報告した後、保護スイッチングコントローラーが分散型電気クロス装置における関連シングルボードに、電気クロスユニットのサービス電気クロス接続配置を変更し、該波長オーダーのサービスを送信するシングルボードを改めて選択し、即ち、該波長オーダーのサービスを伝送するサブネットワークを取り替えることを知らせ、
及び、シングルボードのベアラするサブ波長オーダーのサービスに故障が発生し、且つシングルボード内における集約電気信号多重化逆多重化モジュール及び/又は分岐光電変換モジュールがサブ波長オーダーのサービス警報信号を報告した後、保護スイッチングコントローラーが分散型電気クロス装置における関連シングルボードに、電気クロスユニットのサービス電気クロス接続配置を変更し、該サブ波長オーダーのサービスを送信するシングルボードを改めて選択することを知らせるのである。
【発明の効果】
【００１８】
上記技術案を採用し、本発明は少なくとも下記メリットを有し、
本発明の前記分散型電気クロス装置及びそのSNCカスケード保護の実現システムは、バックボッドと、電気クロスユニットが集積されている少なくとも4つのシングルボードを備え、シングルボードがバックボッドにおける有限のスロットに差し込まれ、これらのシングルボードにライン側サービスアクセスユニット、クライアント側サービスアクセスユニット及びバックボッドアクセスユニットがさらに設けられ、本発明は、同一シングルボードにライン側サービスとクライアント側サービスとのアクセスが兼ねられ、バックボッドの同一シングルボードでライン側とクライアント側のサービス等の多種のサービスのアクセス及び柔軟スケジューリングを実現し、低いコストの場合に、従来の技術において分散型電気クロスシステムが多種のサービスを処理する機能とサービススケジューリング処理の柔軟性を増加させる。
【００１９】
前記分散型電気クロス装置における集約電気信号多重化逆多重化モジュールは集約光電変換モジュールが出力した集約電気信号を複数チャネルのサブ波長電気信号に分解でき、バックボッド多重化逆多重化モジュールがバックボッド電気信号を複数チャネルのサブ波長電気信号に分解し、電気クロスユニットがサブ波長粒度によってライン側とクライアント側のサービスのクロス接続を実現できるため、本発明の前記分散型電気クロス装置はサブ波長オーダーのサービスをスケジューリングでき、前記分散型電気クロス装置がSNCカスケード保護を実現するシステムはサブ波長オーダーのサービスを保護スイッチングできる。
【００２０】
また、本発明において、少なくとも4つのシングルボードがバックボッドアクセスユニットによって互いに接続され、図1における従来技術のサブネットワークサービススケジューリングと保護SNC/Sカスケードシステムに比べ、故障の発生したアクセスサービスを保護スイッチングする以外、故障の発生したシングルボード設備に対する保護スイッチングをさらに実現でき、それによって従来の技術において、分散型電気クロスシステムがライン側サービスとクライアント側サービスとの伝送スケジューリングに対する安定性を向上させる。
【図面の簡単な説明】
【００２１】
【図１】サブネットワークサービススケジューリングと保護SNC/Sカスケードシステムの模式図である。
【図２】本発明の前記分散型電気クロス装置の構成模式図である
【図３】本発明の前記分散型電気クロス装置における単一シングルボードの構成模式図である。
【図４】本発明の4つのシングルボードがスケジューリングサービスを伝送する時の全経路模式図である。
【図５】本発明の第1種のサービスクロス接続配置方式で4つのシングルボードがスケジューリングサービスを伝送する時の経路模式図である。
【図６】本発明の第2種のサービスクロス接続配置方式で4つのシングルボードがスケジューリングサービスを伝送する時の経路模式図である。
【図７】本発明の前記分散型電気クロス装置がSNCカスケード保護を実現するシステムの模式図である。
【図８】本発明の前記分散型電気クロス装置がSNCカスケード保護を実現する方法のフローチャートである。
【図９】光伝送ネットワークの伝送ネットワーク構築の模式図である。
【図１０】図9における各ネットワークノードにおける分散型電気クロス装置の分解模式図である。
【発明を実施するための形態】
【００２２】
本発明は予定の目的を達成するために採用する技術手段及び効能をさらに述べるために、以下、図面及び好ましい実施例を参考して、本発明の提出した前記分散型電気クロス装置並びにそのSNCカスケード保護実現システム及び方法を後述のように詳しく説明する。
【００２３】
本発明の第1実施例は、図2の示すように、分散型電気クロス装置であって、バックボッドと、電気クロスユニットが集積されている第1シングルボードA01、第2シングルボードA02、第3シングルボードA03及び第4シングルボードA04の4つのシングルボードとを備え、これらの4つのシングルボードがバックボッドにおける固定スロットに差し込まれる。
【００２４】
第1シングルボードA01を例とし、単一シングルボードの機能を説明し、図3の示すように、第1シングルボードには、電気クロスユニットX01以外、ライン側サービスアクセスユニット、クライアント側サービスアクセスユニット及びバックボッドアクセスユニットをさらに備え、ライン側サービス、クライアント側サービス及びバックボッド側サービスが電気クロスユニットX01によって柔軟スケジューリングを行い、１枚のシングルボードにとって、ここのバックボッド側サービスが包含するのは実に該シングルボードがバックボッドアクセスユニットによってバックボッド側からアクセスした他のシングルボードのライン側サービス及び/又はクライアント側サービスである。ライン側サービスアクセスユニットは集約光電変換モジュールL01と集約電気信号多重化逆多重化モジュールL11を備え、 集約光電変換モジュールL01が集約電気信号多重化逆多重化モジュールL11によって電気クロスユニットX01に接続され、集約光電変換モジュールL01がライン側で入力した集約光信号を集約電気信号に変換し、集約電気信号多重化逆多重化モジュールL11が集約光電変換モジュールが出力された集約電気信号をライン側の複数チャネルのサブ波長電気信号、即ち第1チャネルのライン側サブ波長L111、第2路ライン側サブ波長L112、……、第x路ライン側サブ波長L11x（x≧1）に分解し、各岐路のライン側サブ波長が1つの特定のサービスに対応し、逆に、集約電気信号多重化逆多重化モジュールL11がライン側の複数チャネルのサブ波長電気信号を1チャネルの集約電気信号に集めることにさらに用いられる。集約電気信号が波長オーダーのサービスに対応し、サブ波長電気信号がサブ波長オーダーのサービスに対応する。
【００２５】
クライアント側サービスアクセスユニットは第1分岐の光電変換モジュールC01、第2分岐の光電変換モジュールC02、……、第y分岐光電変換モジュールC0y（y≧1）を備え、クライアント側で入力された分岐光信号を分岐電気信号に変換することに用いられ、各分岐光電変換モジュールは1チャネルのクライアント側サービスのアップロードアンロードを担当する。
【００２６】
例えば、第1シングルボードA01には、第1分岐の光電変換モジュールC01と第2分岐の光電変換モジュールC02とによってアクセスされたクライアント側サービスはまずクライアント側サブ波長オーダーの電気信号にカプセル化され、次に電気クロスユニットX01のスケジューリングを経てライン側サービスサブ波長電気信号となり、さらに集約電気信号多重化逆多重化モジュールL11がクライアント側サービスを含有するサブ波長電気信号を1チャネルの集約電気信号に集めることを経て、最後に集約光電変換モジュールL01によって集約電気信号をライン側光信号に変換して出力する。
【００２７】
バックボッドアクセスユニットは3つのバックボッド電気信号インタラクションモジュールとそれに対応する3つのバックボッド電気信号多重化逆多重化モジュールとを備え、第1バックボッド電気信号インタラクションモジュールB01と第1バックボッド電気信号多重化逆多重化モジュールB11とを例とする（他の2つのバックボッド電気信号インタラクションモジュールとそれに対応するバックボッド電気信号多重化逆多重化モジュールとはシングルボードにおける接続情況がそれと同様である。）。
【００２８】
第1バックボッド電気信号インタラクションモジュールB01は第1バックボッド電気信号多重化逆多重化モジュールB11によって電気クロスユニットX01に接続される。
【００２９】
第1バックボッド電気信号多重化逆多重化モジュールB11はバックボッド電気信号をバックボッドの複数チャネルのサブ波長電気信号、即ち第1バックボッドサブ波長B111、第2バックボッドサブ波長B112、……、第zバックボッドサブ波長B11z（z≧1）に分解し、各岐路のバックボッドサブ波長が1つの特定のサービスに対応する。
【００３０】
第1バックボッド電気信号多重化逆多重化モジュールB11は複数チャネルのサブ波長電気信号を1チャネルのバックボッド電気信号に集めることに用いられる。
【００３１】
各シングルボードバックボッドアクセスユニットにおけるバックボッド電気信号インタラクションモジュールはバックボッドにおける固定ケーブルによって互いに接続される。図2の示すように、各シングルボードにおける3つのバックボッド電気信号インタラクションモジュールは本シングルボードが他の3つのシングルボードのバックボッド電気信号インタラクションモジュールに接続されることに用いられ、この接続関係は本発明がバックボッドに設けたシングルボード間の固定ケーブルの接続関係であり、4つのシングルボード間のサービス伝送の固定チャンネルを提供し、各シングルボードにおける電気クロスユニットがサービス電気クロス接続配置を変更することによってシングルボードのアクセスサービスを伝送、スケジューリングでき、シングルボードにおける電気クロスユニット配置を経た後、4つのシングルボードがサービスを伝送、スケジューリングする時の経路は柔軟、多様でよい。4つのシングルボードラインのサブ波長と分岐サブ波長とは塞ぐことのないスケジューリングを実現でき、アクセスされた帯域幅のみに制限され、本発明の4つのシングルボードがサービスを伝送、スケジューリングする時の全経路は図4の示す通りである。
【００３２】
バックボッドの固定接続の複雑度に制限されるため、分散型電気クロスは基本的に4枚のシングルボードを1組とし、この数を超えると、バックボッドにおける回路接続複雑度の急激増加を引き起こすが、本実施例の前記分散型電気クロス装置は4枚のシングルボードに限定されなく、シングルボードの数を少し増加させても、集中型電気クロスシステムに比べ、コストが大幅に低下するため、メトロポリタン・エリアネットワークのエッジノードなどの、処理能力があまり大きくない場合に、本発明の前記分散型電気クロス装置を採用するのが好ましい。
【００３３】
本発明の第2実施例は、分散型電気クロス装置がSNCカスケード保護を実現するシステムであって、図7の示すように、分散型電気クロス装置において、機能とサービスアクセス情況とが完全に対称する2対のシングルボードを備え、クライアント側サービスのアップロードアンロードをサポートする同時に、2対のシングルボードがそれぞれ4つの方向ライン側サービスサブネットワークにさらに接続される。ただし、該分散型電気クロス装置がSNCカスケード保護を実現するシステムにおいて採用された分散型電気クロス装置は上記第1実施例の前記分散型電気クロス装置の1種である。
【００３４】
機能とサービスアクセス情況とが完全に対称する各対のシングルボードにアクセスされた2つの方向のライン側サービスは同様であるため、各対のシングルボードの間及び各対のシングルボードに接続されるライン側サービスサブネットワークの間は保護スイッチングを実現でき、シングルボードがライン側サブサービスネットワークに接続されるため、ライン側サブサービスサブネットワークに故障が発生する場合、シングルボード設備に故障が発生する場合と同様に、該ライン側サービスを送信するシングルボードを改めて選択することによって実現しなければならない。 
【００３５】
シングルボードは、それに接続した他のシングルボード設備の作動状態、及びシングルボード自体のアクセスサービスの作動状態を監視測定し、保護スイッチングコントローラーに故障警報信号を報告し、電気クロスユニットのサービス電気クロス接続配置の変更を実行することに用いられる。前記故障警報信号は、シングルボード設備故障警報信号、波長オーダーのサービス警報信号又はサブ波長オーダーのサービス警報信号である。
【００３６】
保護スイッチングコントローラーは、シングルボードで報告された故障警報信号に基づいて、関連シングルボードに電気クロスユニットのサービス電気クロス接続配置を変更し、障の発生したシングルボードと機能及びサービスアクセス情況が完全に対称するシングルボードによって代わって作動することを知らせることに用いられ、具体的には、
シングルボードに故障が発生する場合、故障シングルボードと電気信号インタラクションする他のシングルボードがいずれも監視測定でき、且つ保護スイッチングコントローラーにシングルボード設備の故障警報信号を報告し、保護スイッチングコントローラーが分散型電気クロス装置における関連シングルボードに、電気クロスユニットのサービス電気クロス接続配置を変更し、同様なサービスを送信するシングルボードを改めて選択することを知らせ、
サブネットワーク、即ち波長オーダーのサービスに故障が発生する場合、故障サブネットワークに接続されるシングルボードの集約光電変換モジュールが保護スイッチングコントローラーに波長オーダーのサービス警報信号を報告し、保護スイッチングコントローラーが分散型電気クロス装置における関連シングルボードに、電気クロスユニットのサービス電気クロス接続配置を変更し、該波長オーダーのサービスを送信するシングルボードを改めて選択し、即ち、該波長オーダーのサービスを伝送するサブネットワークを取り替えることを知らせ、
シングルボードのベアラするサブ波長オーダーのサービスに故障が発生する場合、シングルボード内における集約電気信号多重化逆多重化モジュール及び/又は分岐光電変換モジュールが保護スイッチングコントローラーにサブ波長オーダーのサービス警報信号を報告し、保護スイッチングコントローラーが分散型電気クロス装置における関連シングルボードに、電気クロスユニットのサービス電気クロス接続配置を変更し、該サブ波長オーダーのサービスを送信するシングルボードを改めて選択することを知らせる。
【００３７】
監視測定と警報の過程は本分野の常用技術手段であり、従来の技術において、シングルボードにおける集約光電変換モジュール、集約電気信号多重化逆多重化モジュール及び分岐光電変換モジュールがいずれもその処理する波長オーダー又はサブ波長オーダーのサービスの状態を監視測定、警報でき、相応の機能を完成する成熟な技術が既に存在しているで、ここで詳しく述べない。本発明の、改善された前記分散型電気クロス装置に基づく保護スイッチング方法は、さらに敏速、完全である。
【００３８】
本発明の第3実施例は、分散型電気クロス装置がSNCカスケード保護を実現する方法であって、該方法のフローチャートが図8の示すように、まず分散型クロス装置において機能とサービスアクセス情況が完全に対称する2対のシングルボードを設け、クライアント側サービスのアップロードアンロードをサポートする同時に、2対のシングルボードがそれぞれ4つの方向ライン側サービスサブネットワークにさらに接続され、機能とサービスアクセス情況とが完全に対称する各対のシングルボードにアクセスされた2つの方向のライン側サービスは同様であり、ライン側サービスが波長オーダーとサブ波長オーダーのライン側サービスを備えるため、各対のシングルボードの間及びライン側サービスサブネットワークの間は保護スイッチングを実現でき、
各シングルボードはそれに接続される他のシングルボード設備の作動状態を監視測定し、且つシングルボード自体のアクセスサービスの作動状態をさらに監視測定でき、
シングルボード設備及び/又はアクセスサービスに故障が発生する場合、シングルボードが保護スイッチングコントローラーに故障警報信号を報告し、ここで、アクセスサービスが波長オーダーのサービスとサブ波長オーダーのサービスに分けられ、波長オーダーのサービスに故障が発生するかどうかはライン側サービスサブネットワークの状態によって体現され、ライン側サブネットワークに短絡が発生すると、波長オーダーのサービスに故障が発生し、波長オーダーのサービスに故障が発生するのは集約光電変換モジュールによって監視測定されたことができ、また、集約電気信号多重化逆多重化モジュールが集約電気信号をライン側の複数チャネルのサブ波長電気信号に分解でき、分岐光電変換モジュールがクライアント側サービスをクライアント側サブ波長オーダーの電気信号にカプセル化できるため、集約電気信号多重化逆多重化モジュールと分岐光電変換モジュールとはいずれもその処理するサブ波長オーダーのサービスの状態を監視測定、警報でき、
保護スイッチングコントローラーがシングルボードで報告された故障警報信号に基づいて、関連シングルボードに電気クロスユニットのサービス電気クロス接続配置を変更することを知らせ、
関連シングルボードが電気クロスユニットのサービス電気クロス接続配置の変更を実行する。
【００３９】
シングルボード及びライン側サービスサブ波長サービスの保護スイッチングを実現するために、2対のシングルボードは図5の示すようなサービスクロス接続配置方式に従うことができる。
【００４０】
2対のシングルボードをそれぞれ第1シングルボードA01と第4シングルボードA04、及び第2シングルボードA02と第3シングルボードA03とする。
【００４１】
上半図は左から右まで、ライン側サブ波長サービスが第1シングルボードA01を介して第2シングルボードA02と第3シングルボードA03とに並行され、バックアップとするライン側サブ波長サービスが第4シングルボードA04を介して第2シングルボードA02と第3シングルボードA03とにも並行され、第2シングルボードA02と第3シングルボードA03が第1シングルボードA01と第4シングルボードA04からのサービスに対して、サービス品質情況によって選択的受信でき、正常の作動状態で、第2シングルボードA02が第1シングルボードA01からのサービスを優先的に選択的受信し、第3シングルボードA03が第4シングルボードA04からのサービスを優先的に選択的受信することを表し、
下半図は右から左なで、ライン側サブ波長サービスが第2シングルボードA02を介して第1シングルボードA01と第4シングルボードA04とに並行され、バックアップとするライン側サブ波長サービスが第3シングルボードA03を介して第1シングルボードA01と第4シングルボードA04とにも並行され、第1シングルボードA01と第4シングルボードA04がいずれも第2シングルボードA02と第3シングルボードA03的サービスに対して、サービス品質情況によって選択的受信でき、正常の作動状態で、第1シングルボードA01が第2シングルボードA02からのサービスを優先的に選択的受信し、第4シングルボードA04が第3シングルボードA03からのサービスを優先的に選択的受信することを表する。
【００４２】
2対のシングルボードの機能とサービスアクセス情況が完全に対称する場合は図5の示すサービスクロス接続配置方式に従ってもよく図6の示すサービスクロス接続配置方式に従ってもよい。
【００４３】
以下、まず1つの分散型電気クロス装置が図5における4つのシングルボードのサービスを伝送スケジューリングする時の経路に従うことを例とし、前記分散型電気クロス装置がSNCカスケード保護を実現する方法の実現過程を詳しく述べ、4つのシングルボードのサービス伝送スケジューリング経路の分解模式図が図10の示すように、シングルボードに水平方向にアクセスされたのがライン側OTU2サービスにおけるあるサブ波長オーダーのサービスであり、即ち、該OTU2サービスが集約電気信号多重化逆多重化モジュールによって変換されて得られたあるサブ波長オーダーのサービスは電気クロスユニットに入力され、第1シングルボードa01は、垂直方向にアップロードアンロードするのがクライアント側サービスGEであり、クライアント側サービスGEとライン側サービスとのクロススケジューリングを実現できる。
【００４４】
第1シングルボードa01に接続されるサブネットワークにおけるOTU2サービスのあるサブ波長サービスにはサービス失効又は劣化が発生する場合、第1シングルボードa01における集約電気信号多重化逆多重化モジュールが監視測定した故障警報信号を保護スイッチングコントローラーに報告し、又は第1シングルボードa01に故障が発生し、他の関連シングルボード、例えば、第2シングルボードa02によって検出されて、保護スイッチングコントローラーに報告され、保護スイッチングコントローラーが第2シングルボーa02に内部電気クロスユニットのサービス電気クロス接続の配置の変更を知らせ、第2シングルボードa02が電気クロスユニットのサービス電気クロス接続配置の変更を実行し、第4シングルボードa04及びそれに接続されるサブネットワーク伝送ライン側OTU2サービスのサブ波長サービスを選択する。
【００４５】
第1シングルボードa01に接続されるサブネットワークには故障が発生する場合、第1シングルボードa01における集約光電変換モジュールが監視測定した故障警報信号を保護スイッチングコントローラーに報告し、保護スイッチングコントローラーが第2シングルボードa02に内部電気クロスユニットのサービス電気クロス接続の配置の変更を知らせ、第2作動シングルボードa02が電気クロスユニットのサービス電気クロス接続配置の変更を実行し、第4シングルボードa04及びそれに接続されるサブネットワーク伝送ライン側OTU2サービスのサブ波長サービスを選択する。
【００４６】
逆方向において、右から左までの保護スイッチング過程が上記原理と同様である。
【００４７】
さらに光伝送ネットワークにおいてクライアント側サービスGEに対する複数故障点の保護を例とし、前記分散型電気クロス装置がSNCカスケード保護を実現する方法の実現過程を詳しく述べ、光伝送ネットワークの伝送ネットワーク構築情況が図9の示すように、1枚のバックボッドにおける4つのシングルボードからなる分散型電気クロス装置がサブネットワークに接続するネットワークノードとし、各ネットワークノードのバックボッドには、左上が第1シングルボードで、右上が第2シングルボードで、右下が第3シングルボードで、左下が第4シングルボードであり、4つのシングルボードがサービスを伝送スケジューリングする時の経路は依然として図5における接続を採用する。隣接する2つのネットワークノードの間に同様なサービスを伝送するサブネットワークが同時に接続される。第1ネットワークノードN01から第4ネットワークノードN04はクライアント側サービスGEの保護を実現する同時に、空いているクライアント側アクセスユニットを利用して他のサブ波長クライアント側サービスをアクセスすることもできる。
【００４８】
図9において、第1ネットワークノードN01には、垂直方向からアップロードするのはクライアント側サービスGEであり、クライアント側サービスGEが分岐光電変換モジュールによってカプセルされた後の1つのサブ波長サービスとし、第1ネットワークノードN01から第4ネットワークノードN04まで、3段のサブネットワークをわたり、最終に第4ネットワークノードN04にアンロードする。
【００４９】
第1ネットワークノードＮ01から第2ネットワークノードN02までの間の作動サブネットワークに光ファイバー故障が発生し、第3ネットワークノードN03の第1シングルボードに故障が発生し、第3ネットワークノードN03の第3シングルボードA03に故障が発生すると、クライアント側サービスGEは最終に第1ネットワークノードN01の第3シングルボードA03から第2ネットワークノードN02の第4シングルボードA04まで第2ネットワークノードN02の第3板A03まで第3ネットワークノードN03の第4シングルボードA04まで第3ネットワークノードN03の第2シングルボードA02まで第4ネットワークノードN04の第1シングルボードA01まで、最終に第4ネットワークノードN04の第3シングルボード A03までによってアンロードを実現し、それによってクライアント側サービスGEに対する複数故障点の保護を実現する。
【００５０】
本発明の前記分散型電気クロス装置並びにそのSNCカスケード保護の実現システム及び方法において、該システムはバックボッドと、電気クロスユニットが集積されている少なくとも4つのシングルボードとを備え、シングルボードがバックボッドにおける有限のスロットに差し込まれ、これらのシングルボードにライン側サービスアクセスユニット、クライアント側サービスアクセスユニット及びバックボッドアクセスユニットがさらに設けられ、本発明は、同一シングルボードにライン側サービスとクライアント側サービスとのアクセスが兼ねられ、バックボッドの同一シングルボードでライン側とクライアント側のサービス等の多種のサービスのアクセス及び柔軟スケジューリングを実現し、低いコストの場合に、従来の技術において分散型電気クロスシステムが多種のサービスを処理する機能とサービススケジューリング処理の柔軟性を増加させる。
【００５１】
前記分散型電気クロス装置における集約電気信号多重化逆多重化モジュールが集約光電変換モジュールが出力された集約電気信号を複数チャネルのサブ波長電気信号に分解でき、バックボッド多重化逆多重化モジュールがバックボッド電気信号を複数チャネルのサブ波長電気信号に分解し、電気クロスユニットがサブ波長粒度によってライン側とクライアント側のサービスのクロス接続を実現できるため、本発明の前記分散型電気クロス装置はサブ波長オーダーのサービスをスケジューリングでき、前記分散型電気クロス装置がSNCカスケード保護を実現するシステムはサブ波長オーダーのサービスを保護スイッチングできる。
【００５２】
また、本発明において、少なくとも4つのシングルボードがバックボッドアクセスユニットによって互いに接続され、図1における従来技術のサブネットワークサービススケジューリングと保護SNC/Sカスケードシステムに比べ、故障の発生したアクセスサービスを保護スイッチングする以外、故障の発生したシングルボード設備に対する保護スイッチングをさらに実現でき、それによって従来の技術において、分散型電気クロスシステムがライン側サービスとクライアント側サービスとの伝送スケジューリングに対する安定性を向上させる。
【００５３】
具体的な実施形態の説明によって、本発明が予定の目的を達成するために採用する技術手段及び効能をさらに深く、具体的に分かるべきであるが、付する図面は参考を提供することと説明することのためのものだけであり、本発明を限定するためのものではない。
【図１】
0005484583.tif 000002
【図２】
0005484583.tif 000003
【図３】
0005484583.tif 000004
【図４】
0005484583.tif 000005
【図５】
0005484583.tif 000006
【図６】
0005484583.tif 000007
【図７】
0005484583.tif 000008
【図８】
0005484583.tif 000009
【図９】
0005484583.tif 000010
【図１０】
0005484583.tif 000011